(57)【要約】【課題】ピースが正しく嵌合したときフィット感を得られるとともに、そのときフィット音を発することにより、遊戯者が快感と達成感を得られ、楽しく遊戯できるようにすること。【解決手段】  内層軟質シート１の表裏面に外層硬質フィルム２，３を重合圧着してなる隣り合う多数のピースａ，ｂが、外層硬質フィルム２の切断端部ａ２とｂ２とを微少な彎曲状態に変形した状態でたがいの切断端面を圧接させ、また、内層軟質シート１の切断端部ａ３とｂ３とを、上記彎曲変形にともなう歪みを内包した状態でたがいの切断端面を圧接させ、さらに、外層硬質フィルム３の切断端部ａ４とｂ４とを微細縁を残した状態においてたがいの切断端面を圧接させせるようにしてなる。【選択図】  図４
2006055290.tif 000002
【特許請求の範囲】
【請求項１】
１．  合成樹脂製の内層軟質シート（１）の表面に、合成樹脂製の外層硬質フィルム（２）を重合圧着してなる二層構造のパズル基板（Ａ）から打抜き刃（Ｂ１），（Ｂ２）により打ち抜かれ、たがいに正しく嵌合している限り、少なくとも水平方向には外れることのない雌，雄噛合部（ａ１），（ｂ１）を有するたがいに隣り合う多数のピース（ａ），（ｂ）が、
２．  雌噛合部（ａ１）の上側口縁を形成している外層硬質フィルム（２）の切断端部（ａ２）と、雄噛合部（ｂ１）の上側外周縁を形成している外層硬質フィルム（２）の切断端部（ｂ２）とを、上記打抜きの際の打抜き刃（Ｂ１），（Ｂ２）の強圧によって生じた微少な彎曲状態に変形した状態において、たがいの切断端面を圧接させ、
３．  雌噛合部（ａ１）の内壁面を形成する内層軟質シート１の切断端部（ａ３）と、雄噛合部（ｂ１）の外壁面を形成する内層軟質シート１の切断端部（ｂ３）とを、上記打抜きの際の打抜き刃（Ｂ１），（Ｂ２）の強圧により外層硬質フィルム（２）の切断端部（ａ２），（ｂ２）に生じた上記微少な彎曲変形にともなってできた歪みを内包した状態において、たがいの切断端面を圧接させ、
４．  これら雌，雄噛合部（ａ１），（ｂ１）以外の他のすべての部位においても切断端面を、該雌，雄噛合部（ａ１），（ｂ１）と同じように圧接させるようにしてなることを特徴とするフィット音を発するジグソーパズル。
【請求項２】
１．  合成樹脂製の内層軟質シート（１）の表裏面に、合成樹脂製の外層硬質フィルム（２），（３）を重合圧着してなる三層構造のパズル基板（Ａ）から打抜き刃（Ｂ１），（Ｂ２）により打ち抜かれ、たがいに正しく嵌合している限り、少なくとも水平方向には外れることのない雌，雄噛合部（ａ１），（ｂ１）を有するたがいに隣り合う多数のピース（ａ），（ｂ）が、
２．  雌噛合部（ａ１）の上側口縁を形成している外層硬質フィルム（２）の切断端部（ａ２）と、雄噛合部（ｂ１）の上側外周縁を形成している外層硬質フィルム（２）の切断端部（ｂ２）とを、上記打抜きの際の打抜き刃（Ｂ１），（Ｂ２）の強圧によって生じた微少な彎曲状態に変形した状態において、たがいの切断端面を圧接させ、
３．  雌噛合部（ａ１）の内壁面を形成する内層軟質シート１の切断端部（ａ３）と、雄噛合部（ｂ１）の外壁面を形成する内層軟質シート１の切断端部（ｂ３）とを、上記打抜きの際の打抜き刃（Ｂ１），（Ｂ２）の強圧により外層硬質フィルム（２）の切断端部（ａ２），（ｂ２）に生じた上記微少な彎曲変形にともなってできた歪みを内包した状態において、たがいの切断端面を圧接させ、
４．  雌噛合部（ａ１）の下側口縁を形成している外層硬質フィルム（３）の切断端部（ａ４）と、雄噛合部（ｂ１）の下側外周縁を形成している外層硬質フィルム（３）の切断端部（ｂ４）とを、上記打抜きの際の打抜き刃（Ｂ１），（Ｂ２）の刃先の挟入によって生じた微細縁を残した状態において、たがいの切断端面を圧接させ、
５．  これら雌，雄噛合部（ａ１），（ｂ１）以外の他のすべての部位においても切断端面を、該雌，雄噛合部（ａ１），（ｂ１）と同じように圧接させるようにしてなることを特徴とするフィット音を発するジグソーパズル。
【請求項３】
内層軟質シート（１）が、ポリプロピレン，ポリスチレン，塩化ビニル，ポリエチレン，ＰＥＴ等の透明軟質合成樹脂製であることを特徴とする請求項１または２記載のフィット音を発するジグソーパズル。
【請求項４】
外層硬質フィルム（２），（３）が、ポリプロピレン，ポリスチレン，塩化ビニル，ポリエチレン，ＰＥＴ等の透明硬質合成樹脂製であることを特徴とする請求項１，２または３記載のフィット音を発するジグソーパズル。
【請求項５】
内層軟質シート（１）が厚さ約１mm、外層硬質フィルム（２），（３）が厚さ約０．２mmまたは約０．５mmであることを特徴とする請求項１，２，３または４記載のフィット音を発するジグソーパズル。
【発明の詳細な説明】
【技術分野】
【０００１】
本発明は、ジグソーパズル、さらに具体的には、ピースを正しく嵌合したときフィット音を発するようにしたことを特徴としたジグソーパズルに関する。
【背景技術】
【０００２】
一般に、ジグソーパズルを構成している各ピースは、たがいに正しく嵌合している限り、少なくとも水平方向に、自然にはもちろん引っ張っても、外れることのない雌雄噛合部を有する所要の輪郭形状に打抜きカットされている。
しかし、これまでに知られているジグソーパズルは、少なくとも基板を厚紙製としたジグソーパズル（特許文献１）あるいは合成樹脂製のジグソーパズル（特許文献２）においても、これらを構成している各ピースは、垂直方向には、比較的容易に抜けやすい。これは、上記打抜きカットの時に打抜き刃により各ピース間に形成された微細な隙間のためと認められる。
【特許文献１】特開平１０−２７３号公報
【特許文献２】登録実用新案第３０２５８７４号公報
【０００３】
したがって、すべてのピースを所定の部位に正しく嵌合し終えた（当該図柄の組立てを完成した）時点において、全ピースの表面全域にわたり透明接着剤を塗布してたがいを接着固定している程であり、その接着固定の前には、折角嵌合したピースを不用意に抜脱させてしまうことがあった。
【０００４】
また、ジグソーパズルは、各ピースを所定の部位に正しく嵌合した瞬間に得られる感触すなわちフィット感により、遊戯者に快感ないし達成感を与えるものであるが、たがいに隣接する各ピース間の上記隙間が大きいと上記フィット感が無く、したがって、遊戯者は、快感ないし達成感を味わえないばかりでく、その嵌合が正しく行われたのかどうか確信を得られないまま、次のピースの嵌合作業を続けなければならないことになる。
【発明の開示】
【発明が解決しようとする課題】
【０００５】
そこで、本発明は、一旦正しく嵌合したピースが不用意に抜脱するようなことをなくし、また、ピースが正しく嵌合したとき遊戯者が上記フィット感を確実に得られるようにしようとするものである。
さらに、本発明は、ピースが正しく嵌合したときフィット音を発し、遊戯者が上記フィット感とともにそのフィット音によっても快感ないし達成感を得られ、楽しく遊戯できるようにしようとするものである。
また、本発明は、通常、厚くてしかも硬質であるために表面へのオフセット印刷が不可能とされている厚い透明硬質合成樹脂単板の表面に直接該印刷をしたように見え、図柄印刷の高級感を醸し出したジグソーパズルを提供しようとするものである。
さらにまた、本発明は、同じく厚くてしかも硬質であるために打抜き刃によるカット時に所定のカットライン以外に亀裂を派生してしまい使用に供し得ないとされている比較的厚い透明硬質合成樹脂単板を使用したように見える高品質のジグソーパズルを提供しようとするものである。
【課題を解決するための手段】
【０００６】
請求項１記載の本発明フィット音を発するジグソーパズルは、次の構成からなる。
（１）  合成樹脂製の内層軟質シート１の表面に、合成樹脂製の外層硬質フィルム２を重合圧着してなる二層構造のパズル基板Ａから打抜き刃Ｂ１，Ｂ２により打ち抜かれ、たがいに正しく嵌合している限り、少なくとも水平方向には外れることのない雌，雄噛合部ａ１，ｂ１を有するたがいに隣り合う多数のピースａ，ｂが、
（２）  雌噛合部ａ１の上側口縁を形成している外層硬質フィルム２の切断端部ａ２と、雄噛合部ｂ１の上側外周縁を形成している外層硬質フィルム２の切断端部ｂ２とを、上記打抜きの際の打抜き刃Ｂ１，Ｂ２の強圧によって生じた微少な彎曲状態に変形した状態において、たがいの切断端面を圧接させ、
（３）  雌噛合部ａ１の内壁面を形成する内層軟質シート１の切断端部ａ３と、雄噛合部ｂ１の外壁面を形成する内層軟質シート１の切断端部ｂ３とを、上記打抜きの際の打抜き刃Ｂ１，Ｂ２の強圧により外層硬質フィルム２の切断端部ａ２，ｂ２に生じた上記微少な彎曲変形にともなってできた歪みを内包した状態において、たがいの切断端面を圧接させ、
（４）  これら雌，雄噛合部ａ１，ｂ１以外の他のすべての部位においても切断端面を、該雌，雄噛合部ａ１，ｂ１と同じように圧接させるようにしてなること。
【０００７】
請求項２記載の本発明フィット音を発するジグソーパズルは、次の構成からなる。
（１）  合成樹脂製の内層軟質シート１の表裏面に、合成樹脂製の外層硬質フィルム２，３を重合圧着してなる三層構造のパズル基板Ａから打抜き刃Ｂ１，Ｂ２により打ち抜かれ、たがいに正しく嵌合している限り、少なくとも水平方向には外れることのない雌，雄噛合部ａ１，ｂ１を有するたがいに隣り合う多数のピースａ，ｂが、
（２）  雌噛合部ａ１の上側口縁を形成している外層硬質フィルム２の切断端部ａ２と、雄噛合部ｂ１の上側外周縁を形成している外層硬質フィルム２の切断端部ｂ２とを、上記打抜きの際の打抜き刃Ｂ１，Ｂ２の強圧によって生じた微少な彎曲状態に変形した状態において、たがいの切断端面を圧接させ、
（３）  雌噛合部ａ１の内壁面を形成する内層軟質シート１の切断端部ａ３と、雄噛合部ｂ１の外壁面を形成する内層軟質シート１の切断端部ｂ３とを、上記打抜きの際の打抜き刃Ｂ１，Ｂ２の強圧により外層硬質フィルム２の切断端部ａ２，ｂ２に生じた上記微少な彎曲変形にともなってできた歪みを内包した状態において、たがいの切断端面を圧接させ、
（４）  雌噛合部ａ１の下側口縁を形成している外層硬質フィルム３の切断端部ａ４と、雄噛合部ｂ１の下側外周縁を形成している外層硬質フィルム３の切断端部ｂ４とを、上記打抜きの際の打抜き刃Ｂ１，Ｂ２の刃先の挟入によって生じた微細縁を残した状態において、たがいの切断端面を圧接させ、
（５）  これら雌，雄噛合部ａ１，ｂ１以外の他のすべての部位においても切断端面を、該雌，雄噛合部ａ１，ｂ１と同じように圧接させるようにしてなること。
【０００８】
請求項３記載の本発明は、内層軟質シート１が、ポリプロピレン，ポリスチレン，塩化ビニル，ポリエチレン，ＰＥＴ等の透明軟質合成樹脂製である請求項１または２記載のフィット音を発するジグソーパズルである。
【０００９】
請求項４記載の本発明は、外層硬質フィルム２，３が、ポリプロピレン，ポリスチレン，塩化ビニル，ポリエチレン，ＰＥＴ等の透明硬質合成樹脂製である請求項１，２または３記載のフィット音を発するジグソーパズルである。
【００１０】
請求項５記載の本発明は、内層軟質シート１が厚さ約１mm、外層硬質フィルム２，３が厚さ約０．２mmまたは約０．５mmであるである請求項１，２，３または４記載のフィット音を発するジグソーパズルである。
【発明の効果】
【００１１】
本発明によれば、一旦正しく嵌合したピースが不用意に抜脱するようなことがなく、また、ピースが正しく嵌合したとき、遊戯者はフィット感を確実に得られ、また、同じくピースが正しく嵌合したとき、フィット音を発するので、これにより遊戯者は上記フィット感とともにそのフィット音によっる快感を得られ、しかも、これらフィット感とフィット音により、正しい嵌合が行われたことを確認するとともに達成感を味わえ、楽しい遊戯ができる。
【００１２】
本発明によれば、内層軟質シートに重合圧着する前に外層硬質フィルムに所望の図柄をオフセット印刷等で印刷しておくことにより、通常、厚くてしかも硬質であるために表面へのオフセット印刷が不可能とされている厚い硬質合成樹脂単板の表面に直接該印刷をしたように見え、図柄印刷の高級感を醸し出したジグソーパズルを提供しようとするものである。
【００１３】
本発明によれば、同じく厚くてしかも硬質であるために打抜き刃によるカット時に所定のカットライン以外に亀裂を派生してしまい使用に供し得ないとされている比較的厚い硬質合成樹脂単板を使用したように見える高品質のジグソーパズルを提供できる。
【００１４】
本発明によれば、内層軟質シートおよび外層硬質フィルムとして、透明軟質または硬質合成樹脂を採用することにより、透光性があり透視できるジグソーパズルを提供できる。
【発明を実施するための最良の形態】
【００１５】
本発明の最良の形態として以下の実施例について詳細に説明する。
【実施例】
【００１６】
本発明ジグソーパズルは、パズル基板を打抜き刃により所要の輪郭形状のピースに打ち抜いて製作されることは従来と同様で、その特徴は、パズル基板の構造ないし構成にある。以下、これを図示の実施例について説明する。
【００１７】
１は、ポリプロピレン，ポリスチレン，塩化ビニル，ポリエチレン，ＰＥＴ等の透明合成樹脂製で、厚さ約１mmの内層軟質シートである。
２，３は、同じくポリプロピレン，ポリスチレン，塩化ビニル，ポリエチレン，ＰＥＴ等の透明合成樹脂製で、厚さ約０．２mmの外層硬質フィルムで、外面には、当該ジグソーパズルのための所望の図柄（図示省略）を印刷してある。
この印刷には、これら外層硬質フィルム２，３の厚さが約０．２mmと比較的薄いので、シルクスクリーン印刷、転写印刷はもちろんオフセット印刷やグラビア印刷等いずれの印刷法も採用でき、かつ、それによって、高品質の印刷が可能である。
【００１８】
図柄（図示省略）を印刷した上記外層硬質フィルム２，３は、上記内層軟質シート１の表裏面に所要の透明接着剤を介し重合圧着され、これより、内層軟質シート１とその表裏面の外層硬質フィルム２，３は全一体化し、少なくとも見掛け上は、比較的厚い透明硬質合成樹脂単板製であるかの如き状態の、三層構造のパズル基板Ａを構成する（図３（１））。
【００１９】
図柄の印刷は、上記のように外層硬質フィルム２，３の外面ではなく、内面に行ってもよく、また、いずれか一方の外層硬質フィルム２または３にだけ行ってもよい。
【００２０】
なお、パズル基板Ａとしては、上記内層軟質シート１の表面に上記外層硬質フィルム２を所要の透明接着剤を介し重合圧着した二層構造のものにしてもよいが、本実施例においては三層構造のパズル基板Ａについて説明することとし、重複を避けるため二層構造のものに関する説明は省略する。
【００２１】
Ｂ１，Ｂ２は、上記構造ないし構成のパズル基板Ａを多数のピースに打抜きカットする打抜き刃で、これらによって、たがいに正しく嵌合している限り、少なくとも水平方向に、自然にはもちろん引っ張っても、外れることのない雌，雄噛合部を有する所要の輪郭形状の多数のピースが、例えば、２回打抜き（１回目にパズル基板Ａの横方向ライン全長を抜き、２回目に同基板Ａの縦方向ライン全長を抜く。）でカットされる。
【００２２】
すなわち、打抜き刃Ｂ１，Ｂ２は、上方から降下し、外層硬質フィルム２に強圧してこれを突き破り、内層軟質シート１を貫通し（図３（２））、外層硬質フィルム３の外面にその刃先を僅かに突き出した（図３（３））後、元の位置に向け上昇抜脱し、これにより、パズル基板Ａは上記輪郭形状の多数のピースにカットされた状態になるが、その各ピースは、内層軟質シート１および外層硬質フィルム２，３の素材である合成樹脂の弾性により、たがいに緊密に嵌合し合った状態を保持する（図１，２，４，５）。
【００２３】
このように、カットされかつたがいに緊密に嵌合し合っているピースａ，ｂの輪郭端面の接合状態を考察すると次のとおりである。
【００２４】
ピースａ，ｂの雌，雄噛合部ａ１，ｂ１においては、図４に示した図２のＩ−Ｉ線位置断面におけるように、雌噛合部ａ１の上側口縁を形成している外層硬質フィルム２の切断端部ａ２と、雄噛合部ｂ１の上側外周縁を形成している外層硬質フィルム２の切断端部ｂ２とは、上記打抜きの際の打抜き刃Ｂ１，Ｂ２の強圧によって生じた微少な彎曲状態に変形した状態において、たがいの切断端面を圧接させている（図４）。
【００２５】
また、雌噛合部ａ１の内壁面を形成する内層軟質シート１の切断端部ａ３と、雄噛合部ｂ１の外壁面を形成する内層軟質シート１の切断端部ｂ３とは、上記打抜きの際の打抜き刃Ｂ１，Ｂ２の強圧により、外層硬質フィルム２の切断端部ａ２，ｂ２に生じた上記微少な彎曲変形にともなってできた歪みを内包した状態において、たがいの切断端面を圧接させている（図４）。
【００２６】
さらに、雌噛合部ａ１の下側口縁を形成している外層硬質フィルム３の切断端部ａ４と、雄噛合部ｂ１の下側外周縁を形成している外層硬質フィルム３の切断端部ｂ４とは、上記打抜きの際の打抜き刃Ｂ１，Ｂ２の刃先の挟入によって生じた微細縁を残した状態において、たがいの切断端面を圧接させている（図４）。
【００２７】
たがいに隣り合っているピースａ，ｂの輪郭端面のこのような接合状態は、図５に示したように、図２のＩＩ−ＩＩ線位置断面において、また、その他のすべての部位においても、すなわちピースａ，ｂの輪郭端面全域で同様に発現している。
【００２８】
したがって、本ジグソーパズルを構成するいずれのピースも、それが正しく嵌合されている限り、水平方向に外れることがないのはもちろん、垂直方向に不用意に抜脱するようなことがないものである。
【００２９】
ところで、一旦ばらばらにしたピースの中のたがいに適合するものどうし、例えば、上記のピースａ，ｂを、嵌合する様子について見ると、両ピースａ，ｂは、その輪郭端面全域が上記のように緊密に嵌合し合っている圧接状態から解放され、各々がその端面に内包する弾性により、その輪郭端面を、きわめて僅かではあるが膨出させ、たがいを垂直方向から嵌合しようとしたとき、嵌合対向部分をきわめて僅か重合する関係になっている。
【００３０】
これを、ピースａの上側にピースｂを対向させた図６〜８を参照しながら、これらの雌，雄噛合部ａ１，ｂ１について詳しく説明すると、図７および図８（２）に示すように、雄噛合部ｂ１の外層硬質フィルム３の切断端部ｂ４の端縁と、雌噛合部ａ１の外層硬質フィルム２の切断端部ａ２の端縁とが僅かに係合状態となる。
【００３１】
しかし、ピースｂ（またはその雄噛合部ｂ１）を直接指頭で少し強めに押圧し続けると、第１に、ピースｂの外層硬質フィルム３の切断端部ｂ４の端縁は、ピースａの外層硬質フィルム２の切断端部ａ２の端縁と摺接しながら上記係合を外し、第２に、同切断端部ｂ４の同端縁は、ピースａの内層軟質シート１の切断端部ａ３の端面と摺接し（図８（３））、続いて、第３に、同切断端部ｂ４の同端縁は、一旦はピースａの外層硬質フィルム３の切断端部ａ４の端縁と僅かに係合状態となる（図８（４））が、直ぐに、それを外し、該切断端部ｂ４の端面を切断端部ａ４の端面に摺接一致させる。
【００３２】
また、そのとき、ピースａの外層硬質フィルム２の切断端部ａ２の端縁が、ピースｂの外層硬質フィルム２の切断端部ｂ２の端と僅かに係合状態となる（図８（４））が、直ぐに、それを外し、該切断端部ａ２の端面を切断端部ｂ２の端面に摺接一致させるとともに、内層軟質シート１の切断端部ａ３，ｂ３の各端面も摺接一致し、これによって、ピースａ，ｂの嵌合作業が終わることになる（図４）。
【００３３】
たがいに隣り合っているピースａ，ｂにおける、各輪郭端面のこのような摺接一致は、図５に示すように図２のＩＩ−ＩＩ線位置断面においても、また、その他のすべての部位において、すなわちピースａ，ｂの輪郭端面全域で同様に発現するものである。
【００３４】
上記のピースａ，ｂを嵌合する第１〜３の工程は、実際には一連にしかも殆ど瞬時に行われることになるものであるが、特に、最後の第３工程、すなわち、ピースｂの外層硬質フィルム３の切断端部ｂ４の端縁が、一旦、ピースａの外層硬質フィルム３の切断端部ａ４の端縁と僅かに係合状態となった（図８（４））後、直ぐに、該切断端部ｂ４の端面と切断端部ａ４の端面とが摺接一致し、同時に、両ピースａ，ｂの外層硬質フィルム２の切断端部ａ２，ｂ２の各端面、および内層軟質シート１の切断端部ａ３，ｂ３の各端面も摺接一致するとき、それがピースａ，ｂにおいて正しい嵌合であると、遊戯者は、ピースａ（またはｂ）を押圧している指頭に心地よいフィット感を感じることができ、かつ、それによって、すなわち触感により、当該嵌合が正しく行われたことを確認できる。
【００３５】
また、上記において、ピースｂの外層硬質フィルム３の切断端部ｂ４の端縁が、ピースａの外層硬質フィルム２の切断端部ａ２の端縁と摺接しながら、その係合を外すとき、および、ピースａの外層硬質フィルム３の切断端部ａ４の端縁と一旦係合状態となった後、それを外し、該切断端部ｂ４の端面を切断端部ａ４の端面に摺接一致させ、かつ、そのとき同時に、ピースｂの外層硬質フィルム２の切断端部ｂ２の端縁がピースａの外層硬質フィルム２の切断端部ａ２の端縁との係合（図８（４））を外し、直ぐに、該切断端部ｂ２の端面を切断端部ａ２の端面に摺接一致させるときに、その係合、その外れおよび摺接の各部分に、それぞれかすかな係合音、その外れ音、および摺接音を、上記のように殆ど瞬時に行われる嵌合作業にともない同じく殆ど瞬時に発生させるが、遊戯者は、これらの音（フィット音）を聴くことにより、嵌合が正しく行われたことを確認できる。
【００３６】
このように、当該嵌合が正しく行われる限り生じる上記フィット感やフィット音は、ピースａ，ｂ（したがってまたパズル基板Ａ）が、外層硬質フィルム２，３および内層軟質シート１の合成樹脂素材特有の弾性を切断端部の端縁と端面（輪郭端面全域）に作用させ、打抜き刃Ｂ１，Ｂ２による打抜きによってもなお所定の緊密状態を保持する関係に設計されていることにより、上記一連の係合、外れ、および摺接が、瞬時に生じさせるものと認められる。
【００３７】
なお、上記においては、ピースａの上側にピースｂを対向させ、ピースｂをピースａに対し押し込み嵌合する場合について説明したが、反対に、ピースｂの上側にピースａを対向させ、ピースａをピースｂに対し押し込み嵌合することにしても、両者の関係は上記と同様であることは明らかである。
【００３８】
また、上記においては、パズル基板Ａとして、内層軟質シート１の表裏面に外層硬質フィルム２，３を重合圧着した三層構造のものについて説明したが、前記のように、内層軟質シート１の表面に外層硬質フィルム２とを重合圧着した二層構造にすることも可能で、その場合、前者の厚さを約０．５mm、後者の厚さを約１mmとするのがよい。  
【００３９】
内層軟質シート１および外層硬質フィルム２，３の厚さについて、付言すると、これらシートおよびフィルムの合計厚さはジグソーパズルとして遊戯するのに適し、また、外層硬質フィルム２，３の厚さは、それへの印刷に支障がなく、あるいは打抜き刃による打抜き時に亀裂を派生したりしない限り、その各範囲内で適宜設定できる。
【産業上の利用可能性】
【００４０】
従来なかったフィット音を発するジグソーパズルとして、付加価値の高い商品となり、その産業上の利用可能性はきわめて大きい。
【図面の簡単な説明】
【００４１】
【図１】本発明に係るジグソーパズルの実施例の一部平面図である。
【図２】同上の要部拡大平面図である。
【図３】本発明に係るジグソーパズルの上記実施例の打抜き状況を説明するためのもので、（１）は、打抜き刃をパズル基板の表面に対向させた状態、（２）は打抜き刃がパズル基板の所要部位まで貫入した状態、（３）は打抜き刃がパズル基板の裏面に達した状態の各拡大断面図である。
【図４】図３（３）の打抜き刃を抜き去った状態であって、図２のＩ−Ｉ線拡大断面図である。
【図５】同じく図３（３）の打抜き刃を抜き去った状態であって、図２のＩＩ−ＩＩ線拡大断面図である。
【図６】隣り合う２個のピースを嵌合すべく上下に対向させた状態の斜視図である。
【図７】上記２個のピースをさらに近接対向させた状態の斜視図である。
【図８】隣り合う２個のピースの嵌合の状況を、図２のＩ−Ｉ線位置で説明するためのもので、（１）は隣り合う２個のピースを嵌合すべく上下に対向させた状態、（２）は上側のピースを下側のピースに近接対向させた状態、（３）は両ピースが嵌合し始めた状態、（４）は両ピースが嵌合し終わる直前状態の各拡大断面図である。
【符号の説明】
【００４２】
１          内層軟質シート
２          外層硬質フィルム
３          外層硬質フィルム
Ａ          パズル基板
Ｂ１        打抜き刃
Ｂ２        打抜き刃
ａ          ピース
ｂ          ピース
ａ１        雌噛合部
ｂ１        雄噛合部
ａ２        切断端部
ｂ２        切断端部
ａ３        切断端部
ｂ３        切断端部
ａ４        切断端部
ｂ４        切断端部
【図１】
2006055290.tif 000003
【図２】
2006055290.tif 000004
【図３】
2006055290.tif 000005
【図４】
2006055290.tif 000006
【図５】
2006055290.tif 000007
【図６】
2006055290.tif 000008
【図７】
2006055290.tif 000009
【図８】
2006055290.tif 000010